(57)【要約】【課題】印刷対象に対して印刷条件を容易に設定できるようにする。【解決手段】印刷条件設定方法であって、コンピュータが、印刷候補一覧と、印刷条件が設定されている複数の印刷対象表示領域とを表示する第１ステップと、コンピュータが、前記印刷候補一覧から印刷する対象をユーザーに指定させる第２ステップと、コンピュータが、前記複数の印刷対象表示領域から所望の印刷条件が設定されている印刷対象表示領域をユーザーに指定させる第３ステップと、コンピュータが、前記第３ステップによって指定された印刷対象表示領域に、前記第２ステップによって指定された印刷対象を表示する第４ステップと、コンピュータが、前記第４ステップによって印刷対象表示領域に表示された印刷対象を、その印刷対象表示領域に設定されている印刷条件に基づいて印刷処理する第５ステップとを備える。【選択図】　　　図１
2004094642.tif 000002
【特許請求の範囲】
【請求項１】
コンピュータが、印刷候補一覧と、印刷条件が設定されている複数の印刷対象表示領域とを表示する第１ステップと、
コンピュータが、前記印刷候補一覧から印刷する対象をユーザーに指定させる第２ステップと、
コンピュータが、前記複数の印刷対象表示領域から所望の印刷条件が設定されている印刷対象表示領域をユーザーに指定させる第３ステップと、
コンピュータが、前記第３ステップによって指定された印刷対象表示領域に、前記第２ステップによって指定された印刷対象を表示する第４ステップと、
コンピュータが、前記第４ステップによって印刷対象表示領域に表示された印刷対象を、その印刷対象表示領域に設定されている印刷条件に基づいて印刷処理する第５ステップとを備える、印刷条件設定方法。
【請求項２】
前記第１ステップはさらに、コンピュータが、前記印刷対象表示領域に隣接させてその印刷対象表示領域に設定されている印刷条件を表示する、請求項１に記載の印刷条件設定方法。
【請求項３】
コンピュータが、前記印刷条件をユーザーに設定させる第６ステップをさらに備える、請求項１又は２に記載の印刷条件設定方法。
【請求項４】
前記印刷条件は、前記印刷対象表示領域に表示された印刷対象の印刷開始時刻を含み、
前記第５ステップは、コンピュータが、前記印刷対象表示領域に表示された印刷対象を、その印刷対象表示領域に設定されている印刷開始時刻に印刷処理する、請求項３に記載の印刷条件設定方法。
【請求項５】
前記印刷対象表示領域には複数の印刷対象が表示され、
前記第５ステップは、コンピュータが、前記印刷対象表示領域に表示された複数の印刷対象を、その印刷対象表示領域に設定されている印刷開始時刻に印刷処理として一括印刷する、請求項４に記載の印刷条件設定方法。
【請求項６】
コンピュータが、前記一括印刷する印刷対象の順番をユーザーに変更させる第７ステップをさらに備える、請求項５に記載の印刷条件設定方法。
【請求項７】
コンピュータが、前記印刷対象表示領域に表示された印刷対象の過去の印刷日時を表示する第８ステップをさらに備える請求項１に記載の印刷条件設定方法。
【請求項８】
前記印刷候補一覧は帳票一覧である、請求項１から７のいずれかに記載の印刷条件設定方法。
【請求項９】
印刷候補一覧と、印刷条件が設定されている複数の印刷対象表示領域とを表示する第１ステップと、
前記印刷候補一覧から印刷する対象をユーザーに指定させる第２ステップと、前記複数の印刷対象表示領域から所望の印刷条件が設定されている印刷対象表示領域をユーザーに指定させる第３ステップと、
前記第３ステップによって指定された印刷対象表示領域に、前記第２ステップによって指定された印刷対象を表示する第４ステップと、
前記第４ステップによって印刷対象表示領域に表示された印刷対象を、その印刷対象表示領域に設定されている印刷条件に基づいて印刷処理する第５ステップとをコンピュータに実行させるための印刷条件設定プログラム。
【請求項１０】
前記第１ステップはさらに、前記印刷対象表示領域に隣接させてその印刷対象表示領域に設定されている印刷条件を表示する、請求項９に記載の印刷条件設定プログラム。
【請求項１１】
前記印刷条件をユーザーに設定させる第６ステップをさらコンピュータに実行させるための、請求項９又は１０に記載の印刷条件設定プログラム。
【請求項１２】
前記印刷条件は、前記印刷対象表示領域に表示された印刷対象の印刷開始時刻を含み、
前記第５ステップは、前記印刷対象表示領域に表示された印刷対象を、その印刷対象表示領域に設定されている印刷開始時刻に印刷処理する、請求項１１に記載の印刷条件設定プログラム。
【請求項１３】
前記印刷対象表示領域には複数の印刷対象が表示され、
前記第５ステップは、前記印刷対象表示領域に表示された複数の印刷対象を、その印刷対象表示領域に設定されている印刷開始時刻に印刷処理として一括印刷する、請求項１２に記載の印刷条件設定プログラム。
【請求項１４】
前記一括印刷する印刷対象の順番をユーザーに変更させる第７ステップをさらにコンピュータに実行させるための、請求項１３に記載の印刷条件設定プログラム。
【請求項１５】
前記印刷対象表示領域に表示された印刷対象の過去の印刷日時を表示する第８ステップをさらコンピュータに実行させるための、請求項９に記載の印刷条件設定プログラム。
【請求項１６】
前記印刷候補一覧は帳票一覧である、請求項９から１５のいずれかに記載の印刷条件設定プログラム。
【請求項１７】
印刷候補一覧と、印刷条件が設定されている複数の印刷対象表示領域とを表示する第１表示手段と、
前記印刷候補一覧から印刷する対象をユーザーに指定させる印刷対象指定手段と、
前記複数の印刷対象表示領域から所望の印刷条件が設定されている印刷対象表示領域をユーザーに指定させる印刷対象表示領域指定手段と、
前記印刷対象表示領域指定手段によって指定された印刷対象表示領域に、前記印刷対象指定手段によって指定された印刷対象を表示する第２表示手段と、
前記第２表示手段によって印刷対象表示領域に表示された印刷対象を、その印刷対象表示領域に設定されている印刷条件に基づいて印刷処理する印刷処理手段とを備える、印刷条件設定装置。
【発明の詳細な説明】
【０００１】
【発明の属する技術分野】
本発明は、印刷対象に対して印刷条件を容易に設定するための技術に関する。
【０００２】
【従来の技術】
従来、複数の印刷対象（例えば車輌販売業者で必要となる複数の帳票）を印刷するには、個々の印刷対象（個々の帳票）それぞれに印刷条件を設定し、個別に印刷する作業が必要であった。例えば、毎日使う帳票が８種類あれば、印刷条件を設定し印刷する作業を８回繰り返す必要があった。また、これら８種類の帳票をまとめて印刷する場合でもバッチプログラムを組んだり設定が煩雑であった。
【０００３】
【発明が解決しようとする課題】
本発明の課題は、印刷対象に対して印刷条件を容易に設定できるようにすることにある。
【０００４】
【課題を解決するための手段】
本発明は、上記課題を解決するためになされたものであり、印刷条件設定方法であって、コンピュータが、印刷候補一覧と、印刷条件が設定されている複数の印刷対象表示領域とを表示する第１ステップと、コンピュータが、前記印刷候補一覧から印刷する対象をユーザーに指定させる第２ステップと、コンピュータが、前記複数の印刷対象表示領域から所望の印刷条件が設定されている印刷対象表示領域をユーザーに指定させる第３ステップと、コンピュータが、前記第３ステップによって指定された印刷対象表示領域に、前記第２ステップによって指定された印刷対象を表示する第４ステップと、コンピュータが、前記第４ステップによって印刷対象表示領域に表示された印刷対象を、その印刷対象表示領域に設定されている印刷条件に基づいて印刷処理する第５ステップとを備える構成とした。
【０００５】
本発明によれば、印刷対象表示領域に表示された印刷対象（一又は複数の印刷対象）が、その印刷対象表示領域に設定されている印刷条件に基づいて印刷処理される。従って、印刷対象に対して印刷条件を容易に設定することが可能となる。個々の印刷対象ごとに印刷条件を設定する必要がない。印刷条件としては、印刷開始時刻、用紙サイズ、用紙向き、余白、ヘッダー、及び、フッター等が考えられる。
【０００６】
上記印刷条件設定方法においては、例えば、前記第１ステップはさらに、コンピュータが、前記印刷対象表示領域に隣接させてその印刷対象表示領域に設定されている印刷条件を表示する。
【０００７】
このようにすれば、ユーザーは各印刷対象表示領域に設定されている印刷条件を容易に認識できるため、所望の印刷条件が設定されている印刷対象表示領域を指定し易くなる。
【０００８】
上記印刷条件設定方法においては、例えば、コンピュータが、前記印刷条件をユーザーに設定させる第６ステップをさらに備える。このようにすれば、ユーザーは、印刷対象表示領域ごとに異なる印刷条件を設定することが可能となる。
【０００９】
上記印刷条件設定方法においては、例えば、前記印刷条件は、前記印刷対象表示領域に表示された印刷対象の印刷開始時刻を含み、前記第５ステップは、コンピュータが、前記印刷対象表示領域に表示された印刷対象を、その印刷対象表示領域に設定されている印刷開始時刻に印刷処理する。このようにすれば、前記印刷対象表示領域に表示された印刷対象を、その印刷対象表示領域に設定されている印刷開始時刻に印刷処理することが可能となる。
【００１０】
上記印刷条件設定方法においては、例えば、前記印刷対象表示領域には複数の印刷対象が表示され、前記第５ステップは、コンピュータが、前記印刷対象表示領域に表示された複数の印刷対象を、その印刷対象表示領域に設定されている印刷開始時刻に印刷処理として一括印刷する。このようにすれば、前記印刷対象表示領域に表示された複数の印刷対象を、その印刷対象表示領域に設定されている印刷開始時刻に印刷処理として一括印刷することが可能となる。
【００１１】
上記印刷条件設定方法においては、例えば、コンピュータが、前記一括印刷する印刷対象の順番をユーザーに変更させる第７ステップをさらに備える。このようにすれば、ユーザーは任意の順番で印刷対象を印刷することが可能となる。
【００１２】
上記印刷条件設定方法においては、例えば、コンピュータが、前記印刷対象表示領域に表示された印刷対象の過去の印刷日時を表示する第８ステップをさらに備える。このようにすれば、前回印刷してからの期間を把握することが可能となる。
【００１３】
上記印刷条件設定方法においては、例えば、前記印刷候補一覧は帳票一覧である。
【００１４】
本発明はプログラムの発明として次のように特定することもできる。印刷候補一覧と、印刷条件が設定されている複数の印刷対象表示領域とを表示する第１ステップと、コンピュータが、前記印刷候補一覧から印刷する対象をユーザーに指定させる第２ステップと、コンピュータが、前記複数の印刷対象表示領域から所望の印刷条件が設定されている印刷対象表示領域をユーザーに指定させる第３ステップと、コンピュータが、前記第３ステップによって指定された印刷対象表示領域に、前記第２ステップによって指定された印刷対象を表示する第４ステップと、コンピュータが、前記第４ステップによって印刷対象表示領域に表示された印刷対象を、その印刷対象表示領域に設定されている印刷条件に基づいて印刷処理する第５ステップとをコンピュータに実行させるための印刷条件設定プログラム。
【００１５】
また、本発明は上記印刷条件設定プログラムを記録したコンピュータ読み取り可能な記録媒体として特定することもできる。
【００１６】
また、本発明は装置の発明として次のように特定することもできる。印刷候補一覧と、印刷条件が設定されている複数の印刷対象表示領域とを表示する第１表示手段と、前記印刷候補一覧から印刷する対象をユーザーに指定させる印刷対象指定手段と、前記複数の印刷対象表示領域から所望の印刷条件が設定されている印刷対象表示領域をユーザーに指定させる印刷対象表示領域指定手段と、前記印刷対象表示領域指定手段によって指定された印刷対象表示領域に、前記印刷対象指定手段によって指定された印刷対象を表示する第２表示手段と、前記第２表示手段によって印刷対象表示領域に表示された印刷対象を、その印刷対象表示領域に設定されている印刷条件に基づいて印刷処理する印刷処理手段とを備える、印刷条件設定装置。
【００１７】
【発明の実施の形態】
以下、本発明の実施の形態である印刷条件設定方法について図面を参照しながら説明する。図１は、印刷条件設定方法を実現するための印刷条件設定装置の概略システム構成を説明するための図である。本実施形態においては、印刷対象が中古車輌販売業者が業務上使用する帳票である場合を例に説明するが、印刷対象はこれに限定されない。
【００１８】
印刷条件設定装置１００は、パーソナルコンピュータ等の情報処理端末であり、例えば、中古車輌販売業者の店舗内に設置されている。印刷条件設定装置１００は、コンピュータ本体１０１、そのコンピュータ本体１０１に内蔵（又は外付け）されているハードディスク装置などの記憶装置１０２、マウス１０３ａやキーボード１０３ｂ等の入力手段１０３、ＣＲＴディスプレイや液晶ディスプレイなどの画像表示装置１０４、及び、プリンタ等の印刷装置１０５等を備えている。
【００１９】
ハードディスク装置１０２には、ウインドウズ、マックＯＳ、あるいは、ＵＮＩＸ等のオペレーティングシステムがインストールされており、さらに、そのオペレーティングシステム上で実行されるアプリケーション１０２ａがインストールされている。アプリケーション１０２ａは、印刷条件設定方法を実現するためのプログラムである。
【００２０】
ハードディスク装置１０２には、車輌データベース１０２ｂ、帳票データベース１０２ｃ、及び、顧客データベース１０２ｄ等が格納されている。車輌データベース１０２ｂは、車種名１０２ｂ１、年式１０２ｂ２、色１０２ｂ３、ステータス１０２ｂ４、出品回数１０２ｂ５、出品履歴１０２ｂ６（出品場所１０２ｂ７、出品日付１０２ｂ８、スタート価格１０２ｂ９、及び、セット価格１０２ｂ１０）等の各種の項目によって構成される。
【００２１】
車種名１０２ｂ１には、中古車輌販売業者が抱える在庫車輌等の車種名が登録される。年式１０２ｂ２には、在庫車輌等の年式が登録される。色１０２ｂ３には、在庫車輌等の車色が登録される。
【００２２】
ステータス１０２ｂ４には、在庫車輌等に対する状態（オークション出品中、成約、流札、又は、取消等）が登録される。
【００２３】
出品回数１０２ｂ５には、現在までにオークションに出品した回数（総回数）が登録される。出品履歴１０２ｂ６は、在庫車輌の出品履歴であり、出品場所１０２ｂ７、出品日付１０２ｂ８、スタート価格１０２ｂ９、及び、セット価格１０２ｂ１０の項目を含む。
【００２４】
出品場所１０２ｂ７には、出品予定のオークション会場が登録される。出品日付１０２ｂ７には、出品予定の日付が登録される。スタート価格１０２ｂ９には、オークション出品対象（本実施形態では中古車輌）のオークションスタート価格が登録される。セット価格１０２ｂ１０には、オークション出品対象のセット価格が登録される。
【００２５】
帳票データベース１０２ｃには、図３に示すように、印刷候補一覧１０４ｂに表示される複数の帳票（例えば、注文書キャンセル一覧表、車輌入金予定一覧表等）が格納されている。各帳票は、車輌データベース１０２ｂや顧客データベース１０２ｄから読み込まれる項目及びその配置等を定義した印刷フォーマットである。
【００２６】
次に、上記構成の印刷条件設定装置の動作について説明する。図２は、印刷条件設定装置の動作を説明するためのフローチャートである。以下の処理は、印刷条件設定装置１００がアプリケーション１０２ａを実行することによって実現される。アプリケーション１０２ａが起動されると（Ｓ１００）、画像表示装置１０５に印刷対象管理画面１０４ａが表示される（Ｓ１０１）。
【００２７】
図３は、印刷対象管理画面の表示例である。印刷対象管理画面１０４ａは、印刷候補一覧としての帳票一覧１０４ｂと、印刷条件が設定されている複数の印刷対象表示領域１０４ｃと、複数の印刷条件設定領域１０４ｄとを含む。
【００２８】
帳票一覧１０４ｂには、帳票データベース１０２ｃに格納されている複数の帳票の名称（例えば、注文書キャンセル一覧表、車輌入金予定一覧表等）が表示される。
【００２９】
横一列に配置された３つの印刷対象表示領域１０４ｃには、帳票一覧１０４ｂからマウス１０３ａによって指定された印刷対象としての帳票名称（一つ又は複数）が表示される。なお、スクロールバー１０４ｆを用いることで、同画面に表示されていない印刷対象表示領域１０４ｃ等も表示可能となっている。
【００３０】
個々の印刷対象表示領域１０４ｃには、これに隣接して配置されている印刷条件設定領域１０４ｄに表示されている印刷条件等が設定されている。印刷条件設定領域１０４ｄは、これに隣接する印刷条件設定領域１０４ｃに印刷条件等を設定するための領域である。印刷条件設定領域１０４ｄは、表示名称１０４ｄ１、表示有無１０４ｄ２、一括印刷（自動印刷）するか否かの設定としての起動方法１０４ｄ３、及び、印刷開始時刻としての起動時間１０４ｄ４を含む。これらの印刷条件等は、入力手段１０３からのユーザー操作によって設定又は変更可能となっている（Ｓ１０２）。
【００３１】
図３左の印刷対象表示領域１０４ｃに隣接する印刷条件設定領域１０４ｄには、印刷条件等として、表示名称１０４ｄ１「日次帳票」、表示有無１０４ｄ２「あり」、起動方法１０４ｄ３「自動」、及び、起動時間１０４ｄ４「２０時５９分」が表示されている。これは、図３左の印刷対象表示領域１０４ｃにこれらの印刷条件等が設定されていることを示す。
【００３２】
また、図３中央の印刷対象表示領域１０４ｃに隣接する印刷条件設定領域１０４ｄには印刷条件等として、表示名称１０４ｄ１「週次帳票」、表示有無１０４ｄ２「あり」、起動方法「手動」、及び、起動時間「２２時５９分」）が表示されている。これは、図３中央の印刷対象表示領域１０４ｃにこれらの印刷条件等が設定されていることを示す。また、図３右の印刷対象表示領域１０４ｃに隣接する印刷条件設定領域１０４ｄには、印刷条件等として、表示名称１０４ｄ１「月次帳票」、表示有無１０４ｄ２「あり」、起動方法「自動」、及び、起動時間「００時０１分」）が表示されている。これは、図３右の印刷対象表示領域１０４ｃにこれらの印刷条件等が設定されていることを示す。
【００３３】
このように、本実施形態においては、印刷条件設定領域１０４ｄにより、個々の印刷対象表示領域１０４ｃごとに異なる印刷条件等を設定できるようになっている。
【００３４】
ユーザーは、マウス１０３ａ操作に連動して画面上を移動するポインタ１０４ｅによって、帳票一覧１０４ｂから印刷対象を指定して（クリックし）（Ｓ１０３）さらに、複数の印刷対象表示領域１０４ｃから所望の印刷条件等が設定されている印刷対象表示領域１０４ｃを指定する（Ｓ１０３でクリックした印刷対象を所望の印刷対象表示領域１０４ｃまでドラッグしてドロップする）（Ｓ１０４）。本実施形態においては、各印刷対象表示領域１０４ｃに隣接してその印刷対象表示領域１０４ｃに設定されている印刷条件等が表示されているため、ユーザーは、所望の印刷対象表示領域１０４ｃを指定し易くなっている。
【００３５】
図４に示すように、帳票一覧１０４ｂから指定されて所望の印刷対象表示領域１０４ｃへドラッグ・ドロップされた印刷対象（例えば、「粗利実績表」）は、ドラッグ・ドロップ先の印刷対象表示領域１０４ｃに表示される（Ｓ１０５）。
【００３６】
図５は、さらに、帳票一覧１０４ｂから印刷対象として「車輌売上一覧表」、「車輌仕入一覧表」、「商談結果一覧表」をクリックして、その指定した対象を同一の印刷対象表示領域１０４ｃへドラッグ・ドロップした場合の表示例である。
【００３７】
後述する一括印刷ボタンをクリックすれば、印刷対象表示領域１０４ｃに表示された印刷対象は、その表示順に（例えば上から順番に）印刷されることになる。この印刷順序は、入力手段１０３からのユーザー操作によって印刷対象表示領域１０４ｃに表示された印刷対象の表示順序を入れ替えることで、変更可能となっている。
【００３８】
本実施形態においては、ドラッグ・ドロップされた印刷対象をマウスによって指定（例えばダブルクリック）することで、その指定された印刷対象に関連づけられている抽出条件初期設定画面が表示されるようになっている。図９は、印刷対象としての車輌在庫一覧表に関連づけられている抽出条件初期設定画面１０４ｎの表示例である。ユーザーは、入力手段１０３から必要な抽出条件をその設定画面に入力することになる。入力された抽出条件によって車輌データベース１０２ｂ等から抽出されるデータが印刷対象とされる。
【００３９】
次に、ユーザーが入力手段１０３から印刷制御画面を表示するための所定操作を行うと（Ｓ１０６：Ｙｅｓ）、画像表示装置１０４に印刷制御画面１０４ｈが表示される（Ｓ１０７）。
【００４０】
印刷制御画面１０４ｈは、印刷対象表示領域１０４ｃに表示されている印刷対象の印刷を制御するための画面である。印刷制御画面１０４ｈは、印刷対象表示領域１０４ｃごとに設けられている。
【００４１】
図６は、表示名称１０４ｄ１「日次帳票」が設定されている印刷対象表示領域１０４ｃに表示された印刷対象の印刷を制御する印刷制御画面の表示例である。図７は、表示名称１０４ｄ１「週次帳票」が設定されている印刷対象表示領域１０４ｃに表示された印刷対象の印刷を制御する印刷制御画面の表示例である。図８は、表示名称１０４ｄ１「月次帳票」が設定されている印刷対象表示領域１０４ｄに表示された印刷対象の印刷を制御する印刷制御画面の表示例である。各印刷制御画面中の切り替えボタン１０４ｇをクリックすることで、他の印刷制御画面に切り替えることが可能となっている。
【００４２】
ここでは、図６に示した表示名称１０４ｄ１「日次帳票」が設定されている印刷対象表示領域１０４ｃに表示された印刷対象の印刷を制御する印刷制御画面１０４ｈについて説明する（図７及び図８に示した印刷制御画面についても同様であるので説明は省略する）。この印刷制御画面１０４ｈは、印刷対象一覧１０４ｉと、個別印刷ボタン１０４ｊと、前回印刷日時１０４ｋと、一括印刷ボタン１０４ｌとを含む。
【００４３】
印刷対象一覧１０４ｉには、表示名称１０４ｄ１「日次帳票」が設定されている印刷対象表示領域１０４ｃに表示された印刷対象（ここでは、粗利実績表、車輌売上一覧表、車輌仕入一覧表、及び、商談結果一覧表）がリスト形式で表示される。このため、ユーザーはこの印刷対象一覧１０４ｉを参照することで、表示名称１０４ｄ１「日次帳票」が設定されている印刷対象表示領域１０４ｃにドラッグ・ドロップした印刷対象を確認できるようになっている。
【００４４】
個別印刷ボタン１０４ｊ及び前回印刷日時１０４ｋは、印刷対象一覧１０４ｉを構成する個々の印刷対象に隣接して表示される。個別印刷ボタン１０４ｊは、これに隣接する印刷対象を印刷するためのボタンである。個別印刷ボタン１０４ｊは、表示名称１０４ｄ１「日次帳票」が設定されている印刷対象表示領域１０４ｃに起動方法１０４ｄ３「手動」が設定されている場合に有効となる。前回印刷日時１０４ｋは、これに隣接する印刷対象の前回の印刷日時を示す。
【００４５】
一括印刷ボタン１０４ｌは、表示名称１０４ｄ１「日次帳票」が設定されている印刷対象表示領域１０４ｃに表示されている印刷対象を一括印刷（連続して印刷）するためのボタンである。一括印刷ボタン１０４ｌは、表示名称１０４ｄ１「日次帳票」が設定されている印刷対象表示領域１０４ｃに起動方法１０４ｄ３「自動」が設定されている場合に有効となる。
【００４６】
ここでは、図５に示したように、表示名称「日次帳票」が設定されている印刷対象表示領域１０４ｃに起動方法１０４ｄ３「自動」が設定されている。このため、ユーザーが、マウス１０３ａによって一括印刷ボタン１０４ｌを指定（クリック）すると（Ｓ１０８：一括印刷）、印刷条件設定装置１００は、表示名称「日次帳票」が設定されている印刷対象表示領域１０４ｃに表示された印刷対象（粗利実績表、車輌売上一覧表、車輌仕入一覧表、及び、商談結果一覧表）を、その印刷対象表示領域１０４ｃに設定されている印刷条件に基づいて印刷処理する。
【００４７】
具体的には、表示名称「日次帳票」が設定されている印刷対象表示領域１０４ｃに印刷条件として起動時間１０４ｄ４「２０時５９分」が設定されているので、印刷条件設定装置１００は、その起動時間１０４ｄ４「２０時５９分」に、表示名称「日次帳票」が設定されている印刷対象表示領域１０４ｃに表示された印刷対象（粗利実績表、車輌売上一覧表、車輌仕入一覧表、及び、商談結果一覧表）を印刷装置１０５から一括印刷する（Ｓ１０９：Ｙｅｓ）。ここでは、各印刷対象ごとに抽出条件が設定されているので（図９参照）、その抽出条件によって車輌データベース１０２ｂ等から抽出されたデータが一括印刷の対象となる。図１０は、上記印刷処理のイメージ図である。
【００４８】
以上説明したように、本実施形態の印刷条件設定方法によれば、印刷対象表示領域１０４ｃに表示された印刷対象（一又は複数の印刷対象）が、その印刷対象表示領域１０４ｃに設定されている印刷条件に基づいて印刷処理されることになる。従って、印刷対象に対して印刷条件を容易に設定することが可能となる。
【００４９】
なお、本実施形態においては、用紙切れのエラー防止のために、一括印刷ボタン１０４ｌが指定（クリック）されると、プリンタ確認画面１０４ｍが表示されるようになっている。
【００５０】
また、印刷対象一覧１０４ｉ中の、印刷が完了した印刷対象（例えば、粗利実績表、車輌売上一覧表）と、印刷中である印刷対象（例えば、車輌仕入れ一覧表）と、これから印刷される印刷対象（例えば、商談結果一覧表）との表示態様（例えば表示色）は相互に異なるようになっている。また、表示有無１０４ｄ２「あり」が設定されていれば、各印刷項目の間には印刷の順番を示す矢印（下向きの矢印）が表示されるようになっている。このため、どのような順番で印刷項目が印刷されるかを容易に把握できるようになっている。
【００５１】
なお、表示名称「日次帳票」が設定された印刷対象表示領域１０４ｃに起動方法１０４ｄ３「手動」を設定すれば、個別印刷ボタン１０４ｊが有効になる。このため、ユーザーが、マウス１０３ａによって個別印刷ボタン１０４ｊを指定（クリック）すると（Ｓ１０８：個別印刷）、印刷条件設定装置１００は、そのクリックされた個別印刷ボタン１０４ｊに隣接する印刷対象のみを印刷する（Ｓ１１１）。
【００５２】
本発明は、その精神または主要な特徴から逸脱することなく、他の様々な形で実施することができる。このため、上記の実施形態はあらゆる点で単なる例示にすぎず、これらの記載によって本発明が限定的に解釈されるものではない。
【００５３】
【発明の効果】
以上説明したように、本発明によれば、印刷対象に対して印刷条件を容易に設定することが可能となる。
【図面の簡単な説明】
【図１】印刷条件設定方法を実現するための印刷条件設定装置の概略システム構成を説明するための図である。
【図２】印刷条件設定装置の動作を説明するためのフローチャートである。
【図３】印刷対象管理画面の表示例である。
【図４】印刷対象管理画面の表示例である。
【図５】印刷対象管理画面の表示例である。
【図６】印刷制御画面の表示例である。
【図７】印刷制御画面の表示例である。
【図８】印刷制御画面の表示例である。
【図９】抽出条件初期設定画面の表示例である。
【図１０】印刷処理のイメージ図である。
【符号の説明】
１００　　　印刷条件設定装置
１０１　　　　　コンピュータ本体
１０２　　　記憶装置
１０３　　　入力手段
１０３ａ　　マウス
１０３ｂ　　キーボード
１０４　　　画像表示装置
１０５　　　印刷装置
【図１】
2004094642.tif 000003
【図２】
2004094642.tif 000004
【図３】
2004094642.tif 000005
【図４】
2004094642.tif 000006
【図５】
2004094642.tif 000007
【図６】
2004094642.tif 000008
【図７】
2004094642.tif 000009
【図８】
2004094642.tif 000010
【図９】
2004094642.tif 000011
【図１０】
2004094642.tif 000012